(57)【要約】【課題】建物の緑地化をはかる際に、土壌の飛散を防止すると共に乾燥を防止して植物の健全な育成を実現する。【解決手段】緑地Ａは、支持面となる床構造１に載置された貯水基盤３と、貯水基盤３に収容され満水時の水位９よりも高い上端面４ａを有する土壌支持部材４と、土壌支持部材４の上端面４ａを覆うと共に縁部５ａが貯水部３ｄに達するように配置され且つ土壌保持機能と吸水機能を有するフィルタ５と、フィルタ５の上部に載置され且つ吸水機能を有する収容体６ａに土壌６ｂを収容して構成された土壌マット６とを有する。収容体６ａは生分解性を有する。【選択図】      図１
2007195451.tif 000002
【特許請求の範囲】
【請求項１】
支持面に載置された貯水基盤と、前記貯水基盤に収容され該貯水基盤に於ける満水時の水位よりも高い上端面を有する土壌支持部材と、前記土壌支持部材の上面を覆うと共に縁部が前記貯水基盤の貯水部に達するように配置され且つ土壌が土壌支持部材の内部に入り込むことを防止する機能と吸水機能とを有するフィルタと、前記フィルタの上部に載置され且つ吸水機能を有する収容体に土壌を収容して構成された土壌マットと、を有することを特徴とする植物の緑地構造。
【請求項２】
前記収容体が生分解性を有することを特徴とする請求項１に記載した植物の緑地構造。
【発明の詳細な説明】
【技術分野】
【０００１】
本発明は、建物のベランダ、屋上、屋根、壁面等を緑地化する際に、土壌や植物の種の飛散や乾燥を防ぐことを実現した植物の緑地構造に関するものである。
【背景技術】
【０００２】
都会に於けるヒートアイランド現象の緩和をはかると共にエネルギー消費量の削減を目的として、ベランダや屋上、屋根或いは壁面を緑化する所謂建物緑化が進められつつある。建物の緑化を実現することによって、建物の断熱性能が向上し、空調設備の稼働を抑えて熱交換機からの放熱量やエネルギーの消費量を削減してヒートアイランド現象の緩和に寄与することになる。更に、建物緑化は、植物の光合成による温室効果ガスである二酸化炭素の吸収作用や植物の蒸散作用によって、地球温暖化の抑制にも貢献するものと期待されている。
【０００３】
建物の屋上等に土壌層を形成して緑地を構成した場合、土壌、特に表層部分が乾燥し易いという問題や、屋上等では地表よりも風が強いことから土壌の飛散や流出という問題がある。特にこれらの問題は、積載荷重を軽減させるために人工の軽量土壌を採用した場合に著しい。このため、植栽すべき植物が乾燥に強い種類に限定されたり、植物を種子から育成することが難しい等の制約が生じていた。
【０００４】
上記問題を解決するために、マルチング材（藁や樹皮、木片等の植物性の天然素材、合成樹脂製のネットやマット或いはシート等、例えば特許文献１又は特許文献２参照）によって土壌の表面を覆うことが行われている。
【０００５】
【特許文献１】特開２００４−１４３１２３号公報
【特許文献２】登録実用新案第３０１６０９３号
【発明の開示】
【発明が解決しようとする課題】
【０００６】
しかし、建物の屋上等の風の強い部位に設けた緑地では、土壌の表面に植物性の軽いマルチング材を敷き詰めるだけでは、マルチング材自体が飛散する虞があり、またこのマルチング材が保水機能や水の蒸発防止機能を有するものの、土壌の下方に貯えられた水を吸い上げることは困難であり、上部から十分に水分を供給することが必要となるという問題を有する。
【０００７】
また、特許文献１や特許文献２に記載された技術を展開したネットやマットでは、土壌の飛散を防止する効果を発揮し得るものの、保水機能や吸水機能を有するものではないという問題があり、更に、シート状のものでは土壌の乾燥を防ぐ効果を有するものの、美観を損なう上、元来雑草の繁殖防止を目的としているので土壌の表層を面状に覆うような地被植物による緑化や植物を種から育てる場合には適さないという問題がある。
【０００８】
本発明の目的は、建物の緑地化をはかる際に、土壌の飛散を防止すると共に乾燥を防止することができ、植物を健全に育成することができる植物の緑地構造を提供せんとするものである。
【課題を解決するための手段】
【０００９】
前記目的を達成するための本発明に係る植物の緑地構造は、支持面に載置された貯水基盤と、前記貯水基盤に収容され該貯水基盤に於ける満水時の水位よりも高い上端面を有する土壌支持部材と、前記土壌支持部材の上面を覆うと共に縁部が前記貯水基盤の貯水部に達するように配置され且つ土壌が土壌支持部材の内部に入り込むことを防止する機能と吸水機能とを有するフィルタと、前記フィルタの上部に載置され且つ吸水機能を有する収容体に土壌を収容して構成された土壌マットとを有して構成されるものである。
【００１０】
上記植物の緑地構造に於いて、収容体が生分解性を有することが好ましい。
【発明の効果】
【００１１】
本発明の第１の植物の緑地構造（以下、単に「緑地構造」という）によれば、緑地構造を建物の屋上等の風が強く日射の影響も受け易い部位に設けた場合でも、土壌を吸水機能を有する収容体に収容して土壌マットを構成することで該収容体が土壌の表面を覆うことができ、土壌や種の飛散を防止することができる。
【００１２】
また、土壌マットの縁部が貯水基盤の貯水部に達しているため、該フィルタの吸水機能によって水が吸い上げられ、この水分が更に収容体の吸水機能によって土壌の表層に吸い上げられる。このため、土壌の表層も湿潤状態を保つことができ、土壌表層に埋め込まれた種や根が充分に張っていない植物に対しても生長に必要な水分を供給することができると共に、種の乾燥を抑制し飛散を防止することもできる。
【００１３】
本発明の第２の緑地構造によれば、収容体が生分解性を有するため、植物の生長に伴って分解が進行し、土壌が生長した地被植物によって覆われると共に十分に根が張る頃、即ち、土壌の乾燥や飛散が生じなくなる頃には、収容体が分解されて土に戻ることとなり、土壌に不要なものが残ることがなく、環境にやさしく、のちのちの手入れが容易な植栽空間とすることができる。
【発明を実施するための最良の形態】
【００１４】
以下、本発明に係る緑地構造の好ましい実施形態について説明する。本発明の緑地構造は、住宅を含む建物のベランダや屋上或いは屋根や壁面を緑地化するに際し、土壌の乾燥を防ぐと共に土壌や種の飛散を防止して良好な植物の生長を実現し得るようにしたものである。
【００１５】
このため、本発明の緑地構造は、支持面に貯水基盤を載置し、この貯水基盤に土壌支持部材を収容してフィルタで覆い、更に、フィルタの上部に収容体に土壌を収容して構成した土壌マットを載置して構成されている。特に、土壌支持部材の上端面は貯水基盤に於ける満水時の水位よりも高い位置にあり、フィルタの縁部が貯水基盤に於ける貯水部まで到達していることで、貯水基盤に貯水されている水がフィルタによって吸水され、更に、土壌マットの収容体を介して土壌に供給される。
【００１６】
従って、土壌マットを構成する土壌は、収容体に収容されることで風による飛散が防止される。また、収容体を介して供給される水によって土壌の湿潤状態が保たれるので、土壌に植栽された植物にとって好ましい環境を維持することが可能である。
【００１７】
本発明に於いて、貯水基盤を載置する支持面は構造や部位を限定するものではなく、建物に構成されたベランダや屋上、或いは屋根や壁面等を選択的に利用することが可能である。また、支持面が水平面であるか傾斜面であるかを問うものではなく、且つ支持面が建物の床面や壁面であるか、床面や壁面から離隔して設けた支持部材であるかを問うものでもない。従って、支持面としては、貯水基盤を載置して支持し得る面であれば如何なる構造、或いは部位であっても良い。
【００１８】
支持面に載置される貯水基盤としては、水を貯えることが可能な部材であれば良く、構造や寸法を限定するものではない。このような貯水基盤として、例えば皿状に構成されたパレットがある。
【００１９】
また貯水基盤に収容される土壌支持部材も土壌マットを支持し得る機能を有し、貯水基盤に収容されたとき上端面が貯水基盤に於ける満水時の水位よりも高くなる寸法を有するものであれば良く、特に構造を限定するものではない。このような土壌支持部材として、例えば適度な剛性を持ったへちま繊維状の多孔質体や、簀の子状の部材等を選択的に利用することが可能である。
【００２０】
例えば、へちま繊維状の多孔質体としては、高い硬度を持った合成樹脂繊維を立体網状（へちま繊維状）に絡ませて板状に形成することで高い圧縮強度、耐変形性、空隙率を有する部材（立体網状部材）があり、また簀の子状の部材としては、木製，合成樹脂製或いは金属製の簀の子がある。そして目的の緑地構造に於ける土壌厚さ等の条件に応じて前記部材を選択的に利用することが好ましい。
【００２１】
フィルタは、土壌マットを構成する土壌が土壌支持部材の内部に入り込むこと（即ち、土壌が貯水部に混入すること）を防止する機能と、縁部が貯水部に到達して吸水する機能と、を有するものであれば良く、材質や厚さ或いはメッシュ等を限定するものではない。このようなフィルタとして、合成樹脂製或いは天然繊維製の織布や不織布を選択的に利用することが可能である。
【００２２】
土壌マットは、吸水機能を有する収容体に土壌を収容して構成される。収容体としては、土壌を飛散することなく収容し得ることが必要であり、吸水機能に加えてこの機能を有するものであれば利用することが可能である。従って、収容体としての形状や構造を限定するものではなく、例えば適度な剛性を持った容器であって良い。しかし、取り扱いの容易や、設置部位に於ける形状のなじみ易さ（変形性）を考慮すると、収容体としては織布或いは不織布等の布を袋状に形成したものであることが好ましい。
【００２３】
また収容体の形状や大きさは特に限定するものではなく、緑地の形状、植栽する植物に必要な土壌厚さ、運搬時の重さ等を考慮して構成することが好ましい。土壌を収容体に収容することによって、該土壌の定量化をはかることが可能となり、作業時に於ける取り扱い性を向上して作業を容易に進行させることが可能となる。従って、土壌を収容したとき、作業員が手で持って容易に運搬し得る程度の大きさと重量の範囲を有するものであることが好ましい。
【００２４】
上記の如く、織布或いは不織布からなる収容体では、繊維の毛細管現象によって吸水機能を発揮させることが可能であり、且つ布の可撓性に基づく変形の容易さを期待することが可能である。このため、フィルタを介して土壌支持部材に支持されたとき、貯水基盤の平面形状や設置部位の状況に対応させて容易に変形させることが可能であり、形状的な違和感を生じることがない。
【００２５】
収容体としては生分解性を有することが好ましい。このように、収容体が生分解性を有することによって、経時的に分解して土壌に混ざり最終的に土壌の成分を構成することになる。
【００２６】
生分解性を有する織布を構成する繊維として、麻や綿、ケナフ、毛、絹等がある。また生分解性を有する不織布としては、乾式法或いは溶液浸漬法等により得られるビスコースレーヨン短繊維不織布、湿式スパンボンド法により得られるレーヨン長繊維不織布や、キチンやアテロコラーゲン等の天然繊維や天然由来の化学繊維からなる不織布、コットンからなるスパンレース不織布等がある。
【００２７】
上記各織布或いは不織布は、植栽する植物の種類に応じて適宜設定される土壌の粒径に対応させて、夫々選択的に利用することが可能である。特に、経済的な面からすると、麻の繊維を袋状に編んだ麻袋が入手が容易で、且つ安価であることから好ましい。
【００２８】
土壌マットを構成する土壌は、土質や粒度等を特に限定するものではなく、粒子の細かい庭土や粒子の粗い砂、或いは人工軽量土を利用することが可能である。しかし、ベランダや屋上等に構成する緑地構造に利用する場合には、建物に対する荷重の負担を軽減するために人工軽量土を用いることが好ましい。
【００２９】
人工軽量土は、例えばＡＬＣ（軽量気泡コンクリート）パネルの製造過程で発生するＡＬＣの端材を砕いて形成された塊状ＡＬＣ破砕物と塊状ヤシチップとを混合して構成したものを用いることができる。かかる人工軽量土は、適度な保水性、排水性、保肥性及び通気性を有し、且つ比重が小さく極めて軽量化されている。従って、適度な給水と施肥を行うことによって、植物にとって好適な環境を維持することが可能となる。
【００３０】
収容体に土壌を収容して土壌マットを構成する際に、予め土壌に植物の種子を混入しておくことが可能である。この場合、フィルタを介して土壌支持部材に土壌マットを載置した後、所定の日数が経たとき発芽して緑地化することが可能となる。しかし、必ずしも種子を予め混入しておく必要はなく、緑地を構成した後、収容体の織り目が比較的粗い場合には織り目の間から種を埋め込んだり、収容体の織り目が比較的細かい場合や不織布などで織り目がない場合には収容体に種を埋め込める程度の切り込みを形成するなどして埋め込んでも良い。
【００３１】
また、植栽すべき植物は限定するものではなく、緑地を構成する部位等に応じて適宜選択することが好ましい。例えば、生長したとき土壌の表面を覆うような地被類が好ましいこともある。
【実施例】
【００３２】
次に、本実施例に係る緑地構造について図を用いて説明する。図１は本実施例に係る緑地構造を持つ緑地の断面構造を模式的に示す図である。
【００３３】
図に示すように本実施例に係る緑地構造を持った緑地Ａは、建物のベランダや屋根を含む屋上のようにコンクリートスラブやコンクリートパネル或いは軽量気泡コンクリートパネル（ＡＬＣパネル）ようなパネル類からなる床構造１を支持面とし、この支持面の上面に軟質塩化ビニールシート等からなる防水シート等を敷設することにより形成された防水層２の上部に構成されている。
【００３４】
緑地Ａは、支持面となる床構造１に載置された貯水基盤３と、貯水基盤３に収容された土壌支持部材４と、土壌支持部材４を覆うフィルタ５と、フィルタ５の上部に載置された土壌マット６と、を有して構成されている。また緑地Ａの周囲には縁石７が配置されており、該縁石７によって床構造１の上面に於ける緑地Ａの周縁を規定している。
【００３５】
貯水基盤３は水を貯える機能を有しており、可撓性と防水性を有する例えばゴムシートや軟質塩化ビニールシート等の防水シートからなる貯水シート３ａを槽状に形成して構成されている。即ち、緑地構造Ａに設定された平面形状に従って断面Ｌ字型の部材が配置されており、この部材の起立片によって貯水基盤３を区画する区画壁３ｂが構成されている。区画壁３ｂは貯水基盤３に設定された満水時の水位よりも大きい高さ（深さ）を有しており、該区画壁３ｂによって区画された平面内に貯水シート３ａが敷き込まれ、該貯水シート３ａの周縁部を区画壁３ｂに沿って立ち上げると共に接着或いは溶着等の手段で一体化させることで、槽状の貯水基盤３が構成されている。
【００３６】
尚、区画壁３ｂを構成する部材として本実施例では断面がＬ字型の材料を利用しているが、必ずしもＬ字型である必要はなく、Ｔ字や他の形状であっても良い。また材質は特に限定するものではなく、経時的に腐食する虞が少なく、且つ軽量なものであれば好ましく利用することが可能である。このような部材としてはアルミニウムや合成樹脂製の型材がある。
【００３７】
貯水基盤３の内部であって周縁部には排水ネット８が配置されており、該排水ネット８によって、貯水基盤３に貯えられた水が図に二点鎖線で示す満水レベル９よりも高い水位になったとき排水し得るように構成されている。従って、貯水基盤３に於ける満水レベル９よりも下位で底面３ｃとの間が貯水部３ｄとしての機能を有している。
【００３８】
排水ネット８は、満水レベル９よりも水位が高くなったとき、余分な水を流通させて排水する機能を有するものである。このため、排水ネットとしてはこの機能を発揮し得るものであれば良く、構成や構造を限定するものではない。例えば合成樹脂繊維によって形成されたネットに黒曜石パーライトを収容して構成したようなものを利用することが可能である。
【００３９】
貯水基盤３を構成する貯水シート３ａ、防水層２を軟質塩化ビニールシート等の可塑剤を含む材料によって構成した場合、貯水基盤３の底面３ｃの下部と防水層２との間には絶縁シート１０が配置される。この絶縁シート１０はＰＥＴ（ポリエチレンテレフタレート；ポリエステル）シート等からなり、貯水シート３ａと防水層２との間で可塑剤が移行するのを緩和する機能を有する。
【００４０】
更に、緑地Ａの周囲に配置された縁石７の下部には、該縁石７に沿って防水保護シート１１が敷き込まれており、床構造１に構成された防水層２に対して接着或いは溶着等の手段で一体化している。この防水保護シート１１は、例えば防水層２の保守或いは補修を行う場合に利用されるものであり、防水層２と同じ材質のシートを利用することが可能である。
【００４１】
貯水基盤３に収容される土壌支持部材４は上端面４ａが貯水基盤３に於ける満水レベル９よりも高くなるような寸法を有しており、土壌マット６を貯水基盤３に貯えられた水に浸漬することなく支持する機能を有している。土壌支持部材４としては前記機能を有するものであれば良く、水分や空気を流入及び流出し得る機能を備えていることが好ましい。
【００４２】
上記の如く、土壌支持部材４が水分や空気の流入、流出機能を有することによって、貯水基盤３に大きな貯水量を確保することが可能であり、且つ貯水量が増加した場合であっても、水面と土壌マット６との間に通気層１２を確保することが可能である。このように通気層１２を確保することで、空気が土壌マット６の下部から供給され、植物に必要な酸素等を取り入れることや植物から発生するガスを排出することが可能となり、植物の根が水に浸ることがなく根腐れを防止することが可能となる。
【００４３】
土壌支持部材４は、大きく撓んだり変形することのない部材であることが好ましい。例えば、種や苗を植える作業をするために人が土壌に入ったときに重みで変形することがなく、安定した地盤として作用することが可能となる。
【００４４】
このため、本実施例では、土壌支持部材４として高い硬度を持った合成樹脂繊維からなり、この合成樹脂繊維を立体網状（へちま繊維状）に絡ませて板状に形成することで高い圧縮強度、耐変形性、空隙率を有する部材（立体網状部材）を用いている。このように、合成樹脂繊維によって形成した土壌支持部材４を利用することにより、長期間の使用しても水の影響を受けることがなく好ましい。
【００４５】
上記の如き土壌支持部材４は平面的な寸法を限定するものではなく、目的の緑地Ａに於ける貯水基盤３の平面形状に対応させて好ましい寸法に適宜設定されている。従って、貯水基盤３に収容される土壌保持部材４の数は１個に限定されるものではなく、２個以上複数収容されることがある。
【００４６】
土壌支持部材４には土壌の保持と吸水機能を持ったフィルタ５が配置されている。このようなフィルタ５としては、吸水性の高い不織布を用いることが可能であり、長期間の使用に伴って水や微生物等による悪影響を受けることのない材質、例えば合成樹脂繊維からなる不織布を用いることが好ましい。本実施例では、フィルタ５として、旭化成せんい株式会社製の緑化シート  ＡＫＳ−５５０を用いている。
【００４７】
フィルタ５は貯水基盤３に貯えられた水を吸い上げて土壌マット６に供給するために、縁部５ａが貯水部３ｄに達していることが必須である。このため、本実施例では、フィルタ５は土壌支持部材４の上面を覆うと共に、縁部５ａが側面から下がって貯水部３ｄに到達している。即ち、立体網状部材からなる土壌支持部材４を包むようにしてフィルタ５を配置している。
【００４８】
上記の如きフィルタ５では、貯水基盤３に貯えられた水を吸い上げて上部に載置した土壌マット６に吸水することが可能であり、また土壌マット６を構成する土壌の土壌支持部材４への落下を阻止することが可能である。
【００４９】
土壌マット６は、吸水機能を持った収容体６ａと、収容体６ａに収容された土壌６ｂとによって構成されている。収容体６ａは麻繊維を織った袋として構成されており、土壌６ｂとしては、人工軽量土を利用している。このため、収容体６ａによって、収容した土壌６ｂの飛散を防ぐと共にフィルタ５によって吸い上げられた水を更に吸い上げて土壌６ｂに供給することが可能である。
【００５０】
また、麻繊維は高い生分解性を発揮する。このため、土壌マット６の使用が長期間にわたったとき、収容体６ａは経時的に麻繊維が分解して土壌６ｂに混入することとなり、緑地Ａに悪影響を及ぼすことがない。
【００５１】
土壌マット６を構成する収容体６ａの厚さは特に限定するものではなく、建物の構造強度と目的の植物が必要とする土壌厚さに応じて設定される。
【００５２】
緑地Ａの周囲に配置された縁石７は、建物に重量的な負担を与えることのないように軽量化されたブロック等であることが好ましい。
【００５３】
尚、本実施例では、特に図示してはいないが、貯水基盤３には１ｍ2 毎に１個の割り合いで土壌支持部材４の間に黒曜石パーライトを配置している。この黒曜石パーライトは、目詰まりや吸水が生じ難く、貯水基盤３に貯まった水の浄化を助ける働きを有している。
【産業上の利用可能性】
【００５４】
本発明の緑地構造は、建物の屋上のみならず、公園等の下側がアスファルトやレンガ或いはコンクリート面からなる小さい空き地にも適用することが可能であり、且つ高層住宅のベランダのような限られた空間に適用して効果的である。
【図面の簡単な説明】
【００５５】
【図１】本実施例に係る緑地構造を持つ緑地の断面構造を模式的に示す図である。
【符号の説明】
【００５６】
Ａ                        緑地
１                        床構造
２                        防水層
３                        貯水基盤
３ａ                      貯水シート
３ｂ                      区画壁
３ｃ                      底面
３ｄ                      貯水部
４                        土壌支持部材
４ａ                      上端面
５                        フィルタ
５ａ                      縁部
６                        土壌マット
６ａ                      収容体
６ｂ                      土壌
７                        縁石
８                        排水ネット
９                        満水レベル
１０                      絶縁シート
１１                      防水保護シート
１２                      通気層
【図１】
2007195451.tif 000003